(57)【特許請求の範囲】
【請求項１】
筐体と、
前記筐体内に収容された送風ファンと、
前記送風ファンを回転させるモーターと、
前記筐体と係合可能な内向きの係止部を有し、前記モーターをモーター押さえとモーター台座とによってモーター軸に直交する方向から挟み付けるように保持して該モーターを前記係止部を介して前記筐体に着脱可能に固定するモーター保持具とを備え、
前記モーター保持具には、前記モーター台座の一側の表面に外側に突出して水平方向に延びるブリッジが形成され、該ブリッジには、下方に突出させて前記係止部が設けられているとともに、前記係止部に対応する位置に第１の工具挿入部が設けられており、該第１の工具挿入部を通して外部から前記係止部を操作可能であることを特徴とするモーターの取り付け・取り外し装置。
【請求項２】
前記第１の工具挿入部は、前記モーター保持具に形成した穴、切り欠き、または溝であることを特徴とする請求項１記載のモーターの取り付け・取り外し装置。
【請求項３】
前記第１の工具挿入部は、前記モーター保持具周辺に着脱可能に取り付けられる少なくとも１つの部品にて覆われることを特徴とする請求項１又は請求項２記載のモーターの取り付け・取り外し装置。
【請求項４】
前記筐体の前面に前面パネルが開閉自在に設けられており、前記第１の工具挿入部は、前記前面パネルを開いた状態でも前記モーター保持具周辺の部品にて隠蔽されていることを特徴とする請求項３記載のモーターの取り付け・取り外し装置。
【請求項５】
前記筐体には、前記係止部に臨む位置に、第２の工具挿入部が設けられており、外部から該第２の工具挿入部を通して前記係止部を操作可能であることを特徴とする請求項１乃至請求項４のいずれかに記載のモーターの取り付け・取り外し装置。
【請求項６】
圧縮機と、凝縮器と、絞り装置と、蒸発器とを環状に接続した空気調和機において、
前記凝縮器を通過させる風の流れを発生させる凝縮器用送風ファンおよびこのファン駆動用の第１モーターと、前記蒸発器を通過させる風の流れを発生させる蒸発器用送風ファンおよびこのファン駆動用の第２のモーターとを備え、これらファン駆動用の第１及び第２のモーターの両者又はいずれか一方の設置部に、前記請求項１乃至請求項５のいずれかのモーターの取り付け・取り外し装置を用いたことを特徴とする空気調和機。
【発明の詳細な説明】
【技術分野】
【０００１】
本発明は、ファン駆動用のモーターの取り付け・取り外し装置及びこれを用いた空気調和機に関するものである。
【背景技術】
【０００２】
ファン駆動用のモーターを有する空気調和機において、室内機の筐体内の左右方向片側に送風ファンを回転させるモーターを配置するために、別部品を用いてモーターを保持し、さらにモーターを保持する部品に爪を設け、この爪を筐体側の爪受け部と係合させることで固定できるようにするとともに、爪の上端に部品外方に突出する爪外し用のレバーを設け、この爪外し用のレバーを操作することで、爪と筐体との係合解除作業の容易化が図れるようにしたものがある（例えば、特許文献１参照）。
【０００３】
また、モーターの固定ねじ取付部の前面を塞ぐ部品に、固定ねじ取り外し用のＵ溝または丸穴を設けて、固定ねじ取付部の前面を塞ぐ部品を取り外すことなく、細長いドライバーを用いてモーターの取り外しを行えるようにしたものがある（例えば、特許文献２参照）。
【０００４】
また、ファンとモーターとをボルト等の連結部材で互いに連結した空気調和機において、室内機の前面部に、連結部材の取り付け、取り外しを行う工具を挿入するための挿入口を設けたものがある（例えば、特許文献３参照）。
【先行技術文献】
【特許文献】
【０００５】
【特許文献１】特開平０９−１１２９４４号公報（図３、図４）
【特許文献２】特開平１１−１５９７８８号公報（図１〜図４）
【特許文献３】実開昭６３−０８７４３３号公報（図１、図２）
【発明の概要】
【発明が解決しようとする課題】
【０００６】
しかしながら、モーターを保持する部品に爪を設け、爪の上端に部品外方に突出する爪外し用のレバーを設け、このレバーを操作することで、爪と筐体との係合を簡単に解除できるようにしたもの（特許文献１）にあっては、爪外し用のレバーが露出しているため、ユーザーがモーターを不用意に取り外してしまい、故障の原因となるおそれがあった。
【０００７】
また、モーターの固定ねじ取付部の前面を塞ぐ部品に、固定ねじ取り外し用のＵ溝または丸穴を設けたもの（特許文献２）や、室内機の前面部におけるファンとモーターとの連結部に対応する位置に、連結部材の取り付け、取り外しを行うための工具を挿入する挿入口を設けたもの（特許文献３）にあっても、固定ねじ取り外し用のＵ溝または丸穴や、工具を挿入する挿入口が露出しているため、ユーザーがモーターを不用意に取り外してしまうおそれがあった。そのため、従来はわざわざＵ溝または丸穴や、工具を挿入する挿入口を覆う蓋部材を製作して、Ｕ溝または丸穴や挿入口を蓋部材によって隠蔽するようにしているが、この蓋部材の存在によりそこに何らかの操作部が存在していることをユーザーに知らしめる結果を招いていた。
【０００８】
本発明は、前記のような課題を解決するためになされたもので、モーターの容易な取り外しが可能で、メンテナンス業者やリサイクル業者に対するメンテナンス性やリサイクル性を向上させる一方で、ユーザーに対してはモーターを容易に取り外しできないようにすることを目的としている。
【課題を解決するための手段】
【０００９】
本発明に係るモーターの取り付け・取り外し装置は、筐体と、筐体内に収容された送風ファンと、送風ファンを回転させるモーターと、筐体と係合可能な内向きの係止部を有し、前記モーターをモーター押さえとモーター台座とによってモーター軸に直交する方向から挟み付けるように保持してこのモーターを前記係止部を介して筐体に着脱可能に固定するモーター保持具とを備え、モーター保持具には、モーター台座の一側の表面に外側に突出して水平方向に延びるブリッジが形成され、このブリッジには、下方に突出させて前記係止部が設けられているとともに、前記係止部に対応する位置に第１の工具挿入部が設けられており、第１の工具挿入部を通して外部から係止部を操作可能であることを特徴としている。
【発明の効果】
【００１０】
本発明に係るモーターの取り付け・取り外し装置においては、工具を用いれば、モーター保持具の第１の工具挿入部を通して外部から係止部が操作可能であるため、モーターの容易な取り外しが可能である。このため、メンテナンス業者やリサイクル業者に対するメンテナンス性やリサイクル性を向上できる。
また、筐体と係合可能な係止部が内向きとなっていて第１の工具挿入部の視野から外れ露出していないため、そこに係止部が存在していることをユーザーに気付かせることがなく、ユーザーがモーターを不用意に取り外してしまうようなことはなくなる。
【図面の簡単な説明】
【００１１】
【図１】本発明の実施形態１に係るモーターの取り付け・取り外し装置を用いた空気調和機の長手中央部における側面視の断面図である。
【図２】本発明の実施形態１に係るモーターの取り付け・取り外し装置を用いた空気調和機の送風ファンおよびファン駆動用のモーターの配置・構成を上方より示す斜視図である。
【図３】本発明の実施形態１に係るモーターの取り付け・取り外し装置を用いた空気調和機のファン駆動用のモーターのモーター保持具への取り付け・取り外しの手順の説明図である。
【図４】本発明の実施形態１に係るモーターの取り付け・取り外し装置を用いた空気調和機のファン駆動用のモーターとモーター保持具の組立体の筐体への取り付け・取り外しの手順の説明図である。
【図５】本発明の実施形態１に係るモーターの取り付け・取り外し装置を用いた空気調和機のファン駆動用のモーターとモーター保持具の組立体の筐体への取り付け後の状態を示す係合部における正面視の断面図である。
【図６】本発明の実施形態２に係るモーターの取り付け・取り外し装置を用いた空気調和機のファン駆動用のモーターとモーター保持具の組立体の筐体への取り付け後の状態を前方より示す斜視図である。
【図７】本発明の実施形態２に係るモーターの取り付け・取り外し装置を用いた空気調和機の外観を下方より示す斜視図である。
【図８】本発明の実施形態２に係るモーターの取り付け・取り外し装置を用いた空気調和機のモーター保持具周辺の部品構成を示す斜視図である。
【図９】本発明の実施形態３に係るモーターの取り付け・取り外し装置を用いた空気調和機の冷凍サイクルの冷媒回路図である。
【発明を実施するための形態】
【００１２】
実施形態１．
図１は本発明の実施形態１に係るモーターの取り付け・取り外し装置を用いた空気調和機の長手中央部における側面視の断面図、図２は本発明の実施形態１に係るモーターの取り付け・取り外し装置を用いた空気調和機の送風ファンおよびファン駆動用のモーターの配置・構成を上方より示す斜視図である。
本発明の実施形態１に係るモーターの取り付け・取り外し装置を用いた空気調和機１００は、図１及び図２のように吸込口１と吹出口２を有する筐体３と、筐体３内の吸込口１から吹出口２に至る風路内に設置され、吸込口１から吹出口２へ向かう空気流れを発生させる送風ファン４と、風路内の送風ファン４の上流側に配置され、吸引した空気を調和する熱交換器５と、吸込口１を覆うように配置され、吸引した空気に含まれる塵埃を捕捉するフィルター６と、フィルター６を清掃するフィルター清掃装置７とを有している。
【００１３】
これを更に詳述すると、筐体３は、両端面(図示せず)が塞がれた筒状であって、天面（図１中、上側）の一部が開口し、この開口部が空気を吸い込む吸込口１を形成している。また、筐体３は、底面（図１中、下側）の一部が開口し、この開口部が吸込口１から吸い込んだ空気を吹き出す吹出口２を形成している。さらに、筐体３は、前面（図１中、左側）が開口し、この開口部を開閉する前面パネル８が設置されている。なお、筐体３の背面（図１中、右側）は塞がれている。
【００１４】
送風ファン４は、筐体３の側面視で略中央部に配置されている。送風ファン４と吹出口２との間の吹出し側風路は、ノズル１１と背面ガイド板１２とによって挟まれるように形成されている。また、送風ファン４を回転させるモーター１３が、本体左右方向の片側に配置されている。
【００１５】
図３は本発明の実施形態１に係るモーターの取り付け・取り外し装置を用いた空気調和機のファン駆動用のモーターのモーター保持具への取り付け・取り外しの手順の説明図、図４は本発明の実施形態１に係るモーターの取り付け・取り外し装置を用いた空気調和機のファン駆動用のモーターとモーター保持具の組立体の筐体への取り付け・取り外しの手順の説明図、図５は本発明の実施形態１に係るモーターの取り付け・取り外し装置を用いた空気調和機のファン駆動用のモーターとモーター保持具の組立体の筐体への取り付け後の状態を示す係合部における正面視の断面図である。
すなわち、モーター１３は、図３乃至図５のようにモーター押さえ１４ａとモーター台座１４ｂからなる２分割構成のモーター保持具１４によってモーター軸に直交する方向から挟み付けるように保持されている。モーター保持具１４には、そのモーター台座１４ｂの一側の表面に外側に突出して水平方向に延びるブリッジ１４ｅが形成され、ブリッジ１４ｅの長手方向の中間部に、下方に垂下して筐体３の爪受け部３ｂと係合可能な係止部である爪１４ｃがそのフック部を内側に向けて設けられており、爪１４ｃを介してモーター１３を筐体３に着脱可能に仮固定できるようになっている。筐体３の爪受け部３ｂは、上向きに凸に湾曲する形状を有するとともに、下面側に凹形状部１５が形成されており、凹形状部１５の先端側が、モーター台座１４ｂの爪１４ｃと係合可能に構成されている。また、モーター台座１４ｂのブリッジ１４ｅには、爪１４ｃに対応する位置に、溝で形成される第１の工具挿入部１４ｄが設けられており、第１の工具挿入部１４ｄを通して工具により外部から爪１４ｃと爪受け部３ｂとの係合解除操作が可能となっている。すなわち、爪１４ｃは、溝で形成される第１の工具挿入部１４ｄの溝底部の下方に形成され、筐体３の爪受け部３ｂに外側から回り込むように係合し、かつ係合部が第１の工具挿入部１４ｄの視野から外れるように内向き（モーター台座１４ｂの本体側を向くように）に形成されている。なお、第１の工具挿入部１４ｄは、溝に限定されるものでなく、穴や切り欠きにより形成してもよいものである。
【００１６】
このようなものにおいて、モーター１３は、モーター保持具１４に組み付けられ、筐体３に装着される。そして、モーター保持具周辺の部品（複数）が取り付けられ、これら部品の少なくとも１つの部品（例えば、図８に示す後述の電源基盤部品３０）により、モーター保持具１４の第１の工具挿入部１４ｄが覆われるようになっている。
【００１７】
また、モーター保持具１４およびその第１の工具挿入部１４ｄを覆う部品は、前面パネル８の内方に配置されており、第１の工具挿入部１４ｄは、前面パネル８を開いた状態でもモーター保持具周辺の部品にて隠蔽されるようになっている。
【００１８】
次に、本発明の実施形態１に係るモーターの取り付け・取り外し装置を用いた空気調和機のファン駆動用のモーターとモーター保持具の組立からその筐体への取り付け・取り外しの手順について図２乃至図５に基づき説明する。まず、図３のようにモーター保持具１４のモーター押さえ１４ａとモーター台座１４ｂによりモーター１３のケーシングを挟み付け、モーター１３とモーター保持具１４の組立体を製作する。次いで、図４のようにこの組立体のモーター１３の軸１３ａを筐体３のモーター軸穴３ａに差し込み通過させ、さらに図５のように送風ファン４の軸穴４ａに差込むとともに、モーター台座１４ｂの係止部となる爪１４ｃを筐体３の爪受け部３ｂに外側から嵌め込む。これにより、モーター１３とモーター保持具１４の組立体が筐体３内の正規位置に仮止めされる。その後、モーター保持具１４と筐体３は複数のねじ１６（図２参照）により止着することで、モーター保持具１４の組立体を筐体３内に本固定する。
【００１９】
モーター１３を取り外す場合は、まず第１の工具挿入部１４ｄを覆っている部品とモーター保持具１４を筐体３へ本固定してあるねじ１６（図２参照）を取り外す。次いで、モーター保持具１４を把持して爪１４ｃと爪受け部３ｂとの引掛りを外すが、このとき爪固定部（フック部）は筐体内側にあるため外から見ることができない。しかし、この段階で露出する第１の工具挿入部１４ｄをメンテナンス業者やリサイクル業者は認識できるので、工具を用いて外部から爪１４ｃの係合解除操作を簡単に行うことができる。このため、従来よりメンテナンス業者やリサイクル業者に対するメンテナンス性やリサイクル性を向上できる。
【００２０】
しかし、ユーザーには、第１の工具挿入部１４ｄを覆っている部品を取り除いても、第１の工具挿入部１４ｄの奥に存在する爪固定部（フック部）が内側を向いていて見ることができないので、第１の工具挿入部１４ｄが露出してもそこに爪固定部（フック部）が存在していることを認識することができない。そのため、モーター１３を不用意に取り外してしまうようなことはなくなる。
【００２１】
また、モーター保持具１４およびその第１の工具挿入部１４ｄを覆う部品は、前面パネル８の内方に配置され、第１の工具挿入部１４ｄは、前面パネル８を開いた状態でもモーター保持具周辺の部品にて隠蔽されるようになっているので、爪固定部（フック部）が存在していることをユーザーに気付かせることがなくなる。さらに、第１の工具挿入部１４ｄを隠蔽するための蓋部材が必要ないため、部品点数を増やす必要がなく、省資源化に寄与する。
【００２２】
実施形態２．
図６は本発明の実施形態２に係るモーターの取り付け・取り外し装置を用いた空気調和機のファン駆動用のモーターとモーター保持具の組立体の筐体への取り付け後の状態を前方より示す斜視図、図７は本発明の実施形態２に係るモーターの取り付け・取り外し装置を用いた空気調和機の外観を下方より示す斜視図、図８は本発明の実施形態２に係るモーターの取り付け・取り外し装置を用いた空気調和機のモーター保持具周辺の部品構成を示す斜視図であり、図中、前述の実施形態１に相当する部分には同一符号を付してある。
本発明の実施形態２に係るモーターの取り付け・取り外し装置を用いた空気調和機１００Ａは、図６のように筐体３の表面（ここでは前面）における係止部である爪１４ｃに臨む位置に、貫通穴で形成される第２の工具挿入部２０を設け、第２の工具挿入部２０を通しても工具により外部から爪１４ｃと爪受け部３ｂとの係合解除操作を可能としたものである。なお、第２の工具挿入部１４ｃは、貫通穴に限定されるものでなく、細長い工具が入る形状であればよいため、溝や切り欠きにより形成してもよいものである。
【００２３】
このようなものにおいて、モーター１３は、モーター保持具１４に組み付けられ、筐体３に装着される。そして、モーター保持具１４の周辺には、電源基盤部品３０（図８）やコーナー意匠部品４０（図７、図８）が取り付けられ、電源基盤部品３０によってモーター保持具１４側の第１の工具挿入部１４ｄが覆われ、コーナー意匠部品４０によって筐体３側の第２の工具挿入部２０が覆われるようになっている。
【００２４】
すなわち、電源基盤部品３０は、前面パネル８の内方にて背面側に取り付けられ、コーナー意匠部品４０は、前面パネル８の内方にて室内機左右下部に取り付けられ、これら電源基盤部品３０とコーナー意匠部品４０とにより、第１の工具挿入部１４ｄと第２の工具挿入部２０が覆われるようになっていて、前面パネル８を開いた状態でも第１の工具挿入部１４ｄと第２の工具挿入部２０が、電源基盤部品３０とコーナー意匠部品４０とによって隠蔽されるようになっている。それ以外の構成は前述の実施形態１のものと同様であり、実施形態１の持つ機能を全て備えているものである。
【００２５】
本発明の実施形態２に係るモーターの取り付け・取り外し装置を用いた空気調和機においては、第１の工具挿入部１４ｄ以外に第２の工具挿入部２０を備えているので、図６のように第２の工具挿入部２０からドライバーなどの細長い工具２１を差込み、爪受け部３ｂに工具２１の先端をあて、爪１４ｃまたは爪受け部３ｂを撓ませることで、引掛りを外すこともできる。このとき、前述の実施形態１のものと同様に爪１４ｃまたは爪受け部３ｂに、ドライバーの先端を当て易いような凹形状部１５（図５参照）を設けておけば、工具２１の先端の当て部の位置が明確となるので、力を加え易くなり、作業性が向上する。
【００２６】
以上のように、本発明に係るモーターの取り付け・取り外し装置を用いた空気調和機においては、工具２１を用いれば、モーター保持具１４の表面に設けた第１の工具挿入部１４ｄや筐体３の表面に設けた第２の工具挿入部２０を通して外部から係止部である爪１４ｃが操作可能であるため、モーター１３の容易な取り外しが可能である。このため、メンテナンス業者やリサイクル業者に対するメンテナンス性やリサイクル性を確保することができる。
【００２７】
また、筐体３の爪受け部３ｂと係合可能な係止部である爪１４ｃがそのフック部を内側に向けて設けられていて露出していないため、そこに係止部が存在していることをユーザーに気付かせることがなく、ユーザーがモーターを不用意に取り外してしまうようなことはなくなる。
【００２８】
実施形態３．
図９は本発明の実施形態３に係るモーターの取り付け・取り外し装置を用いた空気調和機の冷凍サイクルの冷媒回路図である。
本発明の実施形態３に係るモーターの取り付け・取り外し装置を用いた空気調和機は、図９のように圧縮機３３、凝縮器３４、絞り装置３５、蒸発器３６、凝縮器用送風ファン３７ａ及びその駆動用の第１のモーター３８ａ、蒸発器用送風ファン３７ｂ及びその駆動用の第２のモーター３８ｂにより構成され、圧縮機３３と、凝縮器３４と、絞り装置３５と、蒸発器３６とが冷媒配管によって環状に接続されている。前述の実施形態１，２に係るモーターの取り付け・取り外し装置を凝縮器用送風ファン３７ａの第１のモーター３８ａまたは蒸発器用送風ファン３７ｂの第２のモーター３８ｂ、もしくは両方に用いることにより、モーターの容易な取り外しが可能で、メンテナンス業者やリサイクル業者に対するメンテナンス性やリサイクル性を向上させ、ユーザーに対してはモーターを容易に取り外しできないようにすることができる。
【符号の説明】
【００２９】
１  吸込口、２  吹出口、３  筐体、３ａ  モーター軸穴、３ｂ  爪受け部、４  送風ファン、４ａ  軸穴、５  熱交換器、６  フィルター、７  フィルター清掃装置、８  前面パネル、１１  ノズル、１２  背面ガイド板、１３  モーター、１３ａ  モーターの軸、１４  モーター保持具、１４ａ  モーター押さえ、１４ｂ  モーター台座、１４ｃ  爪（係止部）、１４ｄ  第１の工具挿入部、１４ｅ  ブリッジ、１５  凹形状部、１６  ねじ、２０  第２の工具挿入部、２１  工具、３０  電源基盤部品、３３  圧縮機、３４  凝縮器、３５  絞り装置、３６  蒸発器、３７ａ  凝縮器用送風ファン、３７ｂ  蒸発器用送風ファン、３８ａ  第１のモーター、３８ｂ  第２のモーター、４０  コーナー意匠部品、１００，１００Ａ  空気調和機。
【図１】
0005611156.tif 000002
【図２】
0005611156.tif 000003
【図３】
0005611156.tif 000004
【図４】
0005611156.tif 000005
【図５】
0005611156.tif 000006
【図６】
0005611156.tif 000007
【図７】
0005611156.tif 000008
【図８】
0005611156.tif 000009
【図９】
0005611156.tif 000010